(57)【要約】      （修正有）【課題】収納したカードを容易に取り出すことができるだけでなく、カード収納部を形成するための材料コストや加工コストを抑えることのできるカード収納構造を提供する。【解決手段】カードＣを収容するカード収容部３Ａと、カードＣの収容姿勢を保持するカード姿勢保持部３Ｂとを備えている。カード収容部３Ａは、相互に接近した下端部を支点として上端側が開閉可能な対をなす正面部１１及び第１仕切部材１５と、正面部１１及び第１仕切部材１５の側端部同士を相互に連結する左右一対の側面部材１９を有し、カード姿勢保持部３Ｂは、正面部１１及び第１仕切部材１５の上部同士を連結する、カードＣを差し込む切目が形成されたカード支持部材２０を有し、カード支持部材２０は、正面部１１及び第１仕切部材１５を閉じた状態ではカード収容部３Ａ内に折り込まれ、開いた状態ではカード収容部３Ａ内で引き伸ばされるようになっている。【選択図】図４
0003211381.tif 000002
【実用新案登録請求の範囲】
【請求項１】
カードを収容するカード収容部と、前記カード収容部に収容されるカードの収容姿勢を保持するカード姿勢保持部とを備え、
前記カード収容部は、相互に接近または繋がった下端部を支点として上端側が開閉可能な一対の区画部材を有し、
前記カード姿勢保持部は、一方の端縁が一方の前記区画部材の上部に連結される、カードを差し込む切目またはスリットが形成されたカード支持部材を有し、
前記カード支持部材は、一対の前記区画部材を閉じた状態では前記カード収容部内に折り込まれ、一対の前記区画部材を開いた状態では前記カード収容部内で引き伸ばし可能に構成されていることを特徴とするカード収納構造。
【請求項２】
カードを収容するカード収容部と、前記カード収容部に収容されるカードの収容姿勢を保持するカード姿勢保持部とを備え、
前記カード収容部は、相互に接近または繋がった下端部を支点として上端側が開閉可能な一対の区画部材を有し、
前記カード姿勢保持部は、一対の前記区画部材の上部同士を連結する、カードを差し込む切目またはスリットが形成されたカード支持部材を有し、
前記カード支持部材は、一対の前記区画部材を閉じた状態では前記カード収容部内に折り込まれ、一対の前記区画部材を開いた状態では前記カード収容部内で引き伸ばされることを特徴とするカード収納構造。
【考案の詳細な説明】
【技術分野】
【０００１】
この考案は、財布、セカンドバック、ポーチ等にキャッシュカード、クレジットカード等各種カードを収納する場合に適用することができるカード収納構造に関する。
【背景技術】
【０００２】
財布には、紙幣や硬貨を収納する貨幣収納部と共にキャッシュカード、クレジットカード、ポイントカードといった複数枚のカードを収容可能なカード収容部が設けられており、例えば、特許文献１の図１（収納ポケット６、９）、特許文献２の図６（カード収納部２０１）及び特許文献３の図３（収納用ポケット１１）に示すように、カード収納部は、通常、収納した各カードの上端が少し露出するように、皮革や合成樹脂シート等の複数枚のポケット形成用シートを位置ずれさせながら両側縁及び下縁を順次縫合することにより多段に形成されたカード収納ポケットによって構成されている。
【先行技術文献】
【特許文献】
【０００３】
【特許文献１】実用新案登録第３０６９９５９号公報
【特許文献２】特開２０１７−６３４９号公報
【特許文献３】実用新案登録第３２０１０３４号公報
【考案の概要】
【考案が解決しようとする課題】
【０００４】
ところで、上述したカード収納部を構成している各カード収納ポケットに収納したカードは、それぞれの収納ポケットを構成している下地（内側のポケット形成用シート）に密着した状態になっているので、収納したカードの露出した上端部分を摘まんでカードを引き出すことが難しく、カード収納ポケットからのカードの取り出し作業を円滑に行うことができないといった問題がある。
【０００５】
また、カード収納ポケットを多段に形成するためには、収納可能なカード枚数と同数のポケット形成用シートが必要であり、材料コストが高くなると共に、それらを重ね合わせながら順次縫合していかなければならないので、加工コストも高くなるといった問題もある。
【０００６】
そこで、この考案の課題は、収納したカードを容易に取り出すことができるだけでなく、カード収納部を形成するための材料コストや加工コストを抑えることのできるカード収納構造を提供することにある。
【課題を解決するための手段】
【０００７】
上記の課題を解決するため、請求項１に係る考案は、カードを収容するカード収容部と、前記カード収容部に収容されるカードの収容姿勢を保持するカード姿勢保持部とを備え、前記カード収容部は、相互に接近または繋がった下端部を支点として上端側が開閉可能な一対の区画部材を有し、前記カード姿勢保持部は、一方の端縁が一方の前記区画部材の上部に連結される、カードを差し込む切目またはスリットが形成されたカード支持部材を有し、前記カード支持部材は、一対の前記区画部材を閉じた状態では前記カード収容部内に折り込まれ、一対の前記区画部材を開いた状態では前記カード収容部内で引き伸ばし可能に構成されていることを特徴とするカード収納構造を提供するものである。
【０００８】
また、請求項２に係る考案は、カードを収容するカード収容部と、前記カード収容部に収容されるカードの収容姿勢を保持するカード姿勢保持部とを備え、前記カード収容部は、相互に接近または繋がった下端部を支点として上端側が開閉可能な一対の区画部材を有し、前記カード姿勢保持部は、一対の前記区画部材の上部同士を連結する、カードを差し込む切目またはスリットが形成されたカード支持部材を有し、前記カード支持部材は、一対の前記区画部材を閉じた状態では前記カード収容部内に折り込まれ、一対の前記区画部材を開いた状態では前記カード収容部内で引き伸ばされることを特徴とするカード収納構造を提供するものである。
【考案の効果】
【０００９】
以上のように、請求項１に係る考案のカード収納構造は、相互に接近または繋がった下端部を支点として上端側が開閉可能な一対の区画部材を有するカード収容部と、一方の端縁が一方の区画部材の上部に連結される、カードを差し込む切目またはスリットが形成されたカード支持部材を有するカード姿勢保持部とを備え、カード支持部材は、一対の区画部材を閉じた状態ではカード収容部内に折り込まれ、一対の区画部材を開いた状態ではカード収容部内で引き伸ばし可能に構成されているので、一対の区画部材を開いた状態でカード支持部材の切目またはスリットにカードを差し込むと、カード支持部材に対してカードが位置決めされ、その収容姿勢が保持されると共にその上部がカード支持部材の上方側に突出した状態でカード収容部内にカードが収容され、一対の区画部材を閉じると、カード支持部材が折り込まれてカード支持部材における切目またはスリットの両側部分に沿うような状態でカードがコンパクトに収納される。
【００１０】
このようにカードが収納された状態で、一対の区画部材を開いてカード支持部材を引き伸ばすと、切目またはスリットに差し込まれたカードがカード支持部材における切目またはスリットの両側部分から離反すると共にカードの上部が引き伸ばされたカード支持部材の上面から突出した状態となるので、カードの上部を容易に摘まんで引き上げることができ、収納ポケットに差し込んだカードが収納ポケットの下地に密着しているため、カードの露出した上端部分を摘まんで引き出すことが難しい従来のカード収納構造とは異なり、カードを円滑に取り出すことができる。
【００１１】
また、このカード収納構造では、カード支持部材に形成された切目またはスリットにカードを差込む構成を採用しているので、カード収納ポケットを形成するために、収納可能なカード枚数と同数のポケット形成用シートが必要であり、それらのポケット形成用シートを位置ずれさせながら両側縁及び下縁を順次縫合しなければならない従来のカード収納構造に比べて材料コスト及び加工コストが安くなるという効果が得られる。
【００１２】
特に、請求項２に係る考案のカード収納構造は、カードを差し込む切目またはスリットが形成されたカード支持部材によって一対の区画部材の上部同士が連結されており、一対の区画部材を開くことによって、折り込まれたカード支持部材が自然に引き伸ばされるので、請求項１に係る考案のカード収納構造のように、一対の区画部材を開いた後にカード支持部材を引き伸ばすといった段階的な作業が不要となり、一対の区画部材を開くだけでカードを取り出し可能な状態にすることができるので、カードの取り出し作業性が向上する。
【図面の簡単な説明】
【００１３】
【図１】この考案に係るカード収納構造の一実施形態を採用した長財布を示す斜視図である。
【図２】同上の長財布の蓋部材を開き、さらに、カード収納部を開いた状態を示す斜視図である。
【図３】（ａ）は同上の長財布の蓋部材を開いた、カード収納部を閉じた状態を示す平面図、（ｂ）は同上の長財布の蓋部材を開き、さらに、カード収納部を開いた状態を示す平面図である。
【図４】（ａ）は同上の長財布のカード収納部を閉じ、さらに、蓋部材を閉じた状態を示す側面図、（ｂ）は同上の長財布の蓋部材を開いた、カード収納部を閉じた状態を示す側面図、（ｃ）は同上の長財布の蓋部材を開き、さらに、カード収納部を開いた状態を示す側面図である。
【考案を実施するための形態】
【００１４】
以下、実施の形態について図面を参照して説明する。図１〜図４は、貨幣収納部２と本考案のカード収納構造を採用したカード収納部３とを備えた長財布１を示している。
【００１５】
この長財布１は、１枚の厚肉の合成樹脂シートによって一連に形成された、正面部１１、底面部１２、背面部１３及びフラップ状の蓋部１４からなる外装部材１０と、貨幣収納部２とカード収納部３とを仕切る、独立した１枚の厚肉の合成樹脂シートによって形成された第１仕切部材１５とを備えており、第１仕切部材１５は、正面部１１と背面部１３との間に配設されている。
【００１６】
前記貨幣収納部２は、第１仕切部材１５と、２枚の厚肉の合成樹脂シートによって平袋状に形成され、ファスナー１６ａによって開閉可能な硬貨収納部材１６と、硬貨収納部材１６と背面部１３との間を仕切る、１枚の厚肉の合成樹脂シートによって形成された第２仕切部材１７と、第１仕切部材１５、硬貨収納部材１６、第２仕切部材１７及び背面部１３の隣り合う側端部同士を相互に連結する、薄肉の合成樹脂シートからなる左右一対の側面部材１８、１８とから構成されており、第１仕切部材１５と硬貨収納部材１６との間、硬貨収納部材１６と第２仕切部材１７との間、第２仕切部材１７と背面部１３との間に紙幣等を収納することができるようになっている。
【００１７】
前記貨幣収納部２を構成している第１仕切部材１５、硬貨収納部材１６、第２仕切部材１７及び背面部１３は、それぞれの下端部がある程度接近した状態に保持されているが、隣り合う各部材１５、１６、１７及び背面部１３の上端側の間隔が下端部の間隔より広がるように、相互に接近した下端部を支点として上端側が開閉するように構成されており、各部材１５、１６、１７及び背面部１３の上端側の間隔を広げることで、紙幣等の出し入れを容易に行えるようになっている。
【００１８】
前記カード収納部３は、カードＣを収容するカード収容部３Ａと、カード収容部３Ａに収容されるカードＣの収容姿勢を保持するカード姿勢保持部３Ｂとを備えている。
【００１９】
前記カード収容部３Ａは、対をなす正面部１１及び第１仕切部材１５と、正面部１１及び第１仕切部材１５の側端部同士を相互に連結する、薄肉の合成樹脂シートからなる左右一対の側面部１９、１９とから構成されており、対をなす正面部１１及び第１仕切部材１５は、上端側がある程度大きく離反できるように、相互に接近した下端部を支点として上端側が開閉するように構成されている。
【００２０】
前記カード姿勢保持部３Ｂは、対をなす正面部１１及び第１仕切部材１５の上部同士を連結する、カードを差し込む複数の切目２０ａが形成された、１枚の厚肉の合成樹脂シートからなるカード支持部材２０によって構成されており、カード支持部材２０は、正面部１１及び第１仕切部材１５を閉じた状態では、図３（ａ）及び図４（ａ）に示すように、カード収容部３Ａ内に折り込まれ、正面部１１及び第１仕切部材１５を開いた状態では、図２、図３（ｂ）及び図４（ｂ）に示すように、カード収容部３Ａ内で引き伸ばされるようになっている。
【００２１】
前記切目２０ａは、折り込まれたたカード支持部材２０の折目部分に形成されていると共に、この折目部分を挟んでカード支持部材２０の奥行き方向（前後方向）に所定間隔を開けて２本ずつ形成されており、これら５本の切目２０ａからなる切目群がカード支持部材２０の幅方向に所定間隔を開けて３列形成されている。
【００２２】
また、蓋部１４は、正面部１１に取り付けられた凸状部材２１ａと、蓋部１４に取り付けられた、凸状部材２１ａに対して係合離脱可能な凹状部材２１ｂとからなる留め具２１によって、正面部１１に留めることができるようになっており、図１及び図４（ａ）に示すように、蓋部１４を正面部１１に留めた状態では、貨幣収納部２とカード収納部３の上部開放部分が蓋部１４によって閉塞された状態に保持されるようになっている。
【００２３】
また、第１仕切部材１５には、その上縁の幅方向中央部にベルト２２が連設されており、正面部１１に取り付けられた凸状部材２３ａと、ベルト２２の先端部に取り付けられた、凸状部材２３ａに対して係合離脱可能な凹状部材２３ｂとからなる留め具２３によって、ベルト２２の先端部を正面部１１に留めることで、図３（ａ）に示すように、カード収納部３を閉じた状態（正面部１１の上部を第１仕切部材１５の上部に接近させた状態）に保持することができるようになっている。
【００２４】
以上のように、この長財布１のカード収納部３は、相互に接近した下端部を支点として上端側が開閉可能な対をなす正面部１１及び第１仕切部材１５を有するカード収容部３Ａと、対をなす正面部１１及び第１仕切部材１５の上部同士を連結する、カードＣを差し込む複数の切目２０ａが形成されたカード支持部材２０を有するカード姿勢保持部３Ｂとを備えており、カード支持部材２０は、対をなす正面部１１及び第１仕切部材１５を閉じた状態ではカード収容部３Ａ内に折り込まれ、対をなす正面部１１及び第１仕切部材１５を開いた状態ではカード収容部３Ａ内で引き伸ばされるので、対をなす正面部１１及び第１仕切部材１５を開いた状態（カード支持部２０が引き伸ばされた状態）でカード支持部材２０の切目２０ａにカードＣを差し込むと、カード支持部材２０に対してカードＣが位置決めされ、その収容姿勢が保持されると共にその上部がカード支持部材２０の上方側に突出した状態でカード収容部３Ａ内にカードＣが収容され、対をなす正面部１１及び第１仕切部材１５を閉じて、ベルト２２の先端部を留め具２３によって正面部１１に留めると、図３（ａ）及び図４（ａ）に示すように、カード支持部材２０が折り込まれてカード支持部材２０における切目２０ａの両側部分に沿うような状態でカードＣがコンパクトに収納され、ベルト２２の先端部を正面部１１に留めることで、その収納状態が保持される。
【００２５】
このようにカードＣが収納された状態で、ベルト２２の先端部を正面部１１から外し、対をなす正面部１１及び第１仕切部材１５を開くと、折り込まれていたカード支持部材２０が自然に引き伸ばされ、図２、図３（ｂ）及び図４（ｂ）に示すように、切目２０ａに差し込まれたカードＣがカード支持部材２０における切目２０ａの両側部分から離反すると共にカードＣの上部が引き伸ばされたカード支持部材２０の上面から突出した状態となるので、カードＣの上部を容易に摘まんで引き上げることができる。従って、収納ポケットに差し込んだカードが収納ポケットの下地に密着しているため、カードの露出した上端部分を摘まんで引き出すことが難しい従来のカード収納構造とは異なり、カードＣを円滑に取り出すことができる。
【００２６】
また、この長財布１のカード収納部３は、カード支持部材２０に形成された切目２０ａにカードＣを差込む構成を採用しているので、カード収納ポケットを形成するために、収納可能なカード枚数と同数のポケット形成用シートが必要であり、それらのポケット形成用シートを位置ずれさせながら両側縁及び下縁を順次縫合しなければならない従来のカード収納構造に比べて、材料コスト及び加工コストが安くなるという利点もある。
【００２７】
なお、上述した実施形態では、カード収容部３Ａを構成している対をなす正面部１１及び第１仕切部材１５の上部同士をカード支持部材２０によって連結しているが、これに限定されるものではなく、カード支持部材２０の一方の端縁（奥行き方向の端縁）を、対をなす正面部１１及び第１仕切部材１５のいずれか一方の上部に接続しておき、対をなす正面部１１及び第１仕切部材１５を開いた状態で、カード支持部材２０の他方の端縁（奥行き方向の端縁）を引っ張ることで、カード支持部材２０をカード収容部３Ａ内で引き伸ばすことができるようにしておいてもよい。
【００２８】
また、上述した実施形態では、カード支持部材２０にカードＣを差し込むための複数の切目２０ａを形成しているが、切目に代えてスリットを形成することも可能であり、切目やスリットの数も特に限定されるものではない。
【００２９】
また、上述した実施形態では、カード収容部３Ａを構成している対をなす正面部１１及び第１仕切部材１５の下端部同士が繋がっておらず、相互に接近した状態となっているが、これに限定されるものではなく、例えば、カード収容部を構成する一対の区画部材を１枚の合成樹脂シート等によって形成することにより、一対の区画部材の下端部同士が繋がっているものであってもよい。
【００３０】
また、上述した実施形態では、合成樹脂シートによって形成された長財布１について説明したが、素材は、合成樹脂シートに限定されるものではなく、天然皮革、人工皮革等、種々の素材を使用することができることはいうまでもない。
【００３１】
また、上述した実施形態では、本考案のカード収納構造を採用した長財布について説明したが、これに限定されるものではなく、本考案のカード収納構造は二つ折りタイプの財布にも適用することができ、財布以外に、セカンドバックやポーチ等にカード収納部を設ける場合にも適用することができる。
【産業上の利用可能性】
【００３２】
本考案は、財布、セカンドバック、ポーチ等にキャッシュカード、クレジットカード等各種カードを収納する場合に利用することができる。
【符号の説明】
【００３３】
１  長財布
２  貨幣収納部
３  カード収納部
３Ａ  カード収容部
３Ｂ  カード姿勢保持部
１０  外装部材
１１  正面部（区画部材）
１２  底面部
１３  背面部
１４  蓋部
１５  第１仕切部材（区画部材）
１６  硬貨収納部材
１６ａ  ファスナー
１７  第２仕切部材
１８、１９  側面部材
２０  カード支持部
２０ａ  切目
２１  留め具
２１ａ  凸状部材
２１ｂ  凹状部材
２２  ベルト
２３  留め具
２３ａ  凸状部材
２３ｂ  凹状部材
Ｃ  カード
【図１】
0003211381.tif 000003
【図２】
0003211381.tif 000004
【図３】
0003211381.tif 000005
【図４】
0003211381.tif 000006